(57)【要約】【課題】  エアシャワーの使用者がエアシャワー室内で確実に回転や腕の上げ下げを行うことにより、清浄度管理された部屋に持ち込む塵埃を効果的に抑制する。【解決手段】  エアシャワー室内の人に清浄空気を吹き付けて塵埃を除去するエアシャワーであって、エアシャワー室の側面および／または天井面に配置した人の手を検知する複数のセンサと、前記複数のセンサの動作を制御する制御装置と、使用者の動作を誘導する誘導手段を備え、前記制御装置は、前記複数のセンサを順次切り替えて作動させるものである。【選択図】  図４
2020139636.tif 000002
【特許請求の範囲】
【請求項１】
エアシャワー室内の人に清浄空気を吹き付けて塵埃を除去するエアシャワーであって、
エアシャワー室の側面および／または天井面に配置した人の手を検知する複数のセンサと、前記複数のセンサの動作を制御する制御装置と、使用者の動作を誘導する誘導手段を備え、
前記制御装置は、前記複数のセンサを順次切り替えて作動させることを特徴とするエアシャワー。
【請求項２】
請求項１に記載のエアシャワーにおいて、
前記制御装置は、ある１つのセンサが人の手を所定時間検知すると、次のセンサを作動させることを特徴とするエアシャワー。
【請求項３】
請求項２に記載のエアシャワーにおいて、
前記制御装置は、タイマー機能を備え、ある１つのセンサが人の手を所定時間連続して検知したことを検出することを特徴とするエアシャワー。
【請求項４】
請求項１に記載のエアシャワーにおいて、
前記センサは、近接センサまたはタッチセンサであることを特徴とするエアシャワー。
【請求項５】
請求項１に記載のエアシャワーにおいて、
前記誘導手段は誘導灯であり、
それぞれの前記センサと一体に、または、それぞれの前記センサの近傍に前記誘導灯を設け、
前記制御装置は、作動するセンサと一体、または、その近傍の前記誘導灯を点灯することを特徴とするエアシャワー。
【請求項６】
請求項１に記載のエアシャワーにおいて、
前記誘導手段は音声ガイドであり、
前記制御装置は、前記音声ガイドにより、作動するセンサを案内することを特徴とするエアシャワー。
【請求項７】
請求項１に記載のエアシャワーにおいて、
前記複数のセンサは、エアシャワー室の両側面において人が手を下ろした位置、天井面の両側面側において手を上げた位置、天井面の前方扉側において手を上げた位置、天井面の後方扉側において手を上げた位置の何れか２つ以上の位置に配置されていることを特徴とするエアシャワー。
【請求項８】
請求項１に記載のエアシャワーにおいて、
前記制御装置は、使用者の入室毎にその都度前記複数のセンサを作動させる順番を変更することを特徴とするエアシャワー。
【請求項９】
請求項１に記載のエアシャワーにおいて、
前記制御装置は、エアシャワー室に人が入室すると、エアジェットを起動し、扉のインターロックを掛けることを特徴とするエアシャワー。
【請求項１０】
請求項１に記載のエアシャワーにおいて、
前記制御装置は、前記複数のセンサの作動が完了すると、エアジェットを停止し、扉のインターロックを解除することを特徴とするエアシャワー。
【発明の詳細な説明】
【技術分野】
【０００１】
本発明は、清浄度管理された部屋と前室間に設置されるエアシャワーに関する。
【背景技術】
【０００２】
食品工場や半導体製造分野、医薬分野等では、クリーンルームなどの清浄度管理された部屋に塵埃を持ち込むことを防止するために、エアシャワーを設置する。
【０００３】
エアシャワーは、エアシャワー内部に設けられたファンモータを動作させ、ファンモータにより発生させた気流をエアシャワー内部に設けられたフィルタを通し、清浄空気としてエアシャワー室内側面に配置されたノズルから人や物に吹き付け、人や物に付着した塵埃を除去する装置である。
【０００４】
エアシャワーは、清浄度管理された部屋への入退室時に使用される構造上、風を吹き出すことができる面が限られており、風が当たる面しか除塵することができない。そのため、人の脇、股、裾などは除塵することが困難である。
【０００５】
特許文献１には、エアシャワー装置において、表示灯等の誘導手段により利用者を誘導してエアシャワー室内で１〜２回転させることで、利用者の体全体に均等に高速ジェットを当て、効率よく花粉を払い落とし、エアシャワー室外に除去することが記載されている。
【先行技術文献】
【特許文献】
【０００６】
【特許文献１】特開２００７−２９５９７６号公報
【発明の概要】
【発明が解決しようとする課題】
【０００７】
エアシャワーは、前記したとおり、清浄空気を人や物に吹き付けることで付着した塵埃を除去するものであるが、清浄空気が当たらない箇所の塵埃を除去することは難しい。そのため、エアシャワー動作中に使用者が体を回転させ、腕の上げ下げをすることで清浄空気が当たらない箇所を減らすことにより、付着した塵埃を効果的に除去することができる。しかし、実際は使用者の動作のばらつきや使用者が動かないで清浄空気を浴びてしまうといった使用者任せとなり、効果的に塵埃を除去することができない場合がある。
【０００８】
特許文献１記載のエアシャワー装置は、表示灯等の誘導手段により利用者を誘導してエアシャワー室内で１〜２回転させることで、利用者の体全体に均等に高速ジェットを当てるものであるが、回転動作は利用者に委ねられており、また、腕の上げ下げは考慮されていない。
【０００９】
本発明は、エアシャワーの使用者がエアシャワー室内で確実に体の回転や腕の上げ下げを行うことにより、清浄度管理された部屋に持ち込む塵埃を効果的に抑制することを目的とする。
【課題を解決するための手段】
【００１０】
本発明のエアシャワーは、上記課題を解決するために、エアシャワー室内に複数個配置したセンサを規定順番通り、または入室の度に順番が変化する不規則な順番通りに作動させることで、清浄空気の吹き付けを完了し、清浄度管理された部屋に入室できるものである。
【００１１】
本発明の「エアシャワー」の一例を挙げるならば、
エアシャワー室内の人に清浄空気を吹き付けて塵埃を除去するエアシャワーであって、エアシャワー室の側面および／または天井面に配置した人の手を検知する複数のセンサと、前記複数のセンサの動作を制御する制御装置と、使用者の動作を誘導する誘導手段を備え、前記制御装置は、前記複数のセンサを順次切り替えて作動させるものである。
【発明の効果】
【００１２】
本発明のエアシャワーによれば、エアシャワーの使用者がエアシャワー室内で確実に体の回転や腕の上げ下げを行うことにより、清浄度管理された部屋に持ち込む塵埃を効果的に抑制することができる。
【００１３】
また、従来は各使用者によってエアシャワーの使用方法が異なっていたが、使用方法を統一することができる。
【００１４】
上記した以外の課題、構成および効果は、以下の実施形態の説明により明らかにされる。
【図面の簡単な説明】
【００１５】
【図１】本発明の実施例１のエアシャワーの模式図である。
【図２】実施例１のエアシャワーの電気系のブロック構成図である。
【図３】実施例１のエアシャワーの動作を示すフロー図である。
【図４】実施例１のエアシャワーの動作を示す模式図である。
【図５】実施例２のエアシャワーの動作を示すフロー図である。
【発明を実施するための形態】
【００１６】
以下、本発明の実施の形態を、図面を用いて説明する。
【実施例１】
【００１７】
図１に、本発明の実施例１のエアシャワーの模式図の一例を示す。エアシャワー１は、人または物が入るエアシャワー室３を備えており、エアシャワー室３は底面、両側面、天井面から構成されている。そして、図示していないが、前方扉および後方扉を備え、例えば、前方扉は前室へ、後方扉はクリーンルーム等の清浄度管理された部屋へつながっている。エアシャワー室内に人が入室すると、エアシャワー内部に設けられたファンモータを動作させ、ファンモータにより発生させた気流をエアシャワー内部に設けられたフィルタを通し、清浄空気としてエアシャワー室内側面に配置された複数のエアジェット吹出口５から吹き出し、人や物に付着した塵埃を除去する。
【００１８】
本実施例のエアシャワー１は、特徴構成として、複数のセンサ１１〜１６を備えている。複数のセンサ１１〜１６は、人の手を検知するものであればよく、人の手が近づくと検知信号を出力する近接センサ、或いは、人の手が触ると検知信号を出力するタッチセンサ(接触型センサ)が好ましい。センサ１（１１）は、エアシャワー室の右側面において使用者が手を下ろした位置に設けられている。センサ２（１２）は、天井面の右側面側において使用者が両手を上げた位置に設けられている。なお、センサ２（１２）は、エアシャワー室の右側面の上部に設けてもよい。センサ３（１３）は、天井面の前方扉側において使用者が両手を上げた位置に設けられている。センサ４（１４）は、エアシャワー室の左側面において使用者が手を下ろした位置に設けられている。センサ５（１５）は、天井面の左側面側において使用者が両手を上げた位置に設けられている。なお、センサ５（１５）は、エアシャワー室の左側面の上部に設けてもよい。センサ６（１６）は、天井面の後方扉側において使用者が両手を上げた位置に設けられている。
【００１９】
図２に、実施例１のエアシャワーの電気系のブロック構成図を示す。エアシャワーの電気系は、制御装置２０を備えており、制御装置２０はＰＬＣ（プログラマブルロジックコントローラ）で構成することができる。制御装置２０の入力としては、センサ１（１１）〜センサ６（１６）の検知信号が入力するとともに、クリーン側ドア（後方扉）の開閉を検知するクリーン側ドアスイッチ１８の検知信号、およびダーティ側ドア（前方扉）の開閉を検知するダーティ側ドアスイッチ１９の検知信号が入力される。制御部２０の出力としては、誘導灯１（２１）〜誘導灯６（２６）の点灯信号を出力する。誘導灯は使用者が手をかざす位置を示すもので、センサと一体に構成しても良いし、センサと別体にセンサの近傍に設けてもよい。制御装置２０からは、ファンモータを駆動するファンモータ出力信号２８や、ダーティ側ドア（前方扉）或いはクリーン側ドア（後方扉）をロックするドアインターロック信号２９も出力される。制御装置２０は、内部にタイマー回路を備えており、後で述べるように、各センサから所定の時間ほど検知信号が入力されると、順次、センサおよび誘導灯を次のものに切り替える。
【００２０】
図３に、実施例１のエアシャワーの動作フロー図を示す。
Ｓ３０１で、エアシャワー１のエアシャワー室３に人が入室すると、Ｓ３０２で、エアジェットを起動し、扉のインターロックをＯＮとする。そして、Ｓ３０３で、センサ１を作動させる。センサ１を所定の時間作動させた後、センサ２を作動させる（Ｓ３０４）。同様にセンサ３、センサ４、センサ５、センサ６と順次作動させる（Ｓ３０５）。全てのセンサが規定順番通りに作動した後、Ｓ３０６で、エアジェットを停止し、扉のインターロックを解除する。そして、Ｓ３０７で、退室が可能となる。複数のセンサの動作の切り替えは、制御装置２０により複数のセンサ１〜６を順次作動させるようにしてもよいし、また、複数のセンサ１〜６からの検知信号を順次切り替えてもよい。
【００２１】
図４に、エアシャワーの動作の一例の模式図を示す。先ず、（ａ）に示すように、エアシャワー室の右側面に配置した近接センサ１を動作させる。使用者が、誘導灯などの案内にしたがって所定の時間両手を下ろすと、次に、（ｂ）に示すように、天井面の右側面側の近接センサ２が作動する。使用者が、所定の時間右側面を向いて両手を上げると、次に、（ｃ）に示すように、天井面の前方扉側の近接センサ３が作動する。使用者が、所定の時間前方扉を向いて両手を上げると、次に、（ｄ）に示すように、左側面の近接センサ４が作動する。使用者が、所定の時間左側面を向いて両手を下ろすと、次に、（ｅ）に示すように、天井面の左側面側の近接センサ５が作動する。使用者が、所定の時間左側面を向いて両手を上げると、次に、（ｆ）に示すように、天井面の後方扉側の近接センサ６が作動する。使用者が、所定の時間後方扉を向いて両手を上げると、エアジェットの動作を完了する。
【００２２】
このように、エアシャワー室の側面や天井面に配置した複数のセンサを所定の時間毎に順次切り替えて作動させることにより、腕の上げ下げや体の回転を指示するため、エアシャワー室に入室した使用者に一定の動作を誘導することができ、効果的に塵埃を除去することができる。
【００２３】
各センサを作動させる時間は、それぞれの位置で使用者がエアジェットを浴びる時間を確保できる所定の時間とすればよい。センサは、近接センサ、光電管センサ、温度センサ、タッチセンサ等の、使用者の手を検知できるものであれば何れでもよいが、非接触型のセンサが好ましい。また、センサを設ける場所や数量は、目的により適宜変更できる。
【００２４】
なお、図示していないが、エアシャワー室の内部には、非常用のドアインターロック解除スイッチを備えており、非常の場合にはエアジェット動作の途中でも前方扉や後方扉を開けることができる。
【００２５】
本実施例では、使用者の向く方向や手の上げ下げを誘導する誘導手段として、誘導灯を用いたが、変形例として、音声ガイドにより誘導するようにしてもよい。この場合は、制御装置２０に音声ガイドを接続し、制御装置で音声の発声を制御すればよい。例えば、「右を向いて下さい。」、「手を上げて下さい。」、「右回りで回転して下さい。」などと案内すればよい。
【００２６】
本実施例のエアシャワーによれば、エアシャワー室の側面や天井面に配置した複数のセンサを所定の時間毎に順次切り替えて作動させ、エアシャワーの使用者がエアシャワー室内で確実に体の回転や腕の上げ下げを行うことにより、エアジェットによる除塵を効果的に行うことができ、清浄度管理された部屋に持ち込む塵埃を効果的に抑制することができる。
【００２７】
また、従来は各使用者によってエアシャワーの使用方法が異なっていたが、エアシャワー室内で体の回転や腕の上げ下げを確実に行うことにより、エアシャワーの使用方法を統一することができる。
【実施例２】
【００２８】
図５に、本発明の実施例２のエアシャワーの動作フロー図を示す。エアシャワーの模式図および電気系のブロック構成図は、図１および図２と同様である。
【００２９】
本実施例では、エアシャワー室の内部側面や天井面に配置するセンサ１〜６の作動の順番を、使用者の入室毎にその都度変化するように構成する。具体的には、例えば図２の制御装置２０内の記憶部に、センサが動作する順番を示す複数のパターンを記憶しておき、使用者の入室毎にその中から選択してセンサ１〜６を作動させればよい。或いは、使用者の入室毎に制御装置２０において、プログラムに基づいてセンサが動作する順番を示すパターンを作成して、センサ１〜６を作動させてもよい。
【００３０】
図５において、Ｓ５０１のエアシャワー室への入室、Ｓ５０２のエアジェット起動および扉のインターロックＯＮ、Ｓ５０６のエアジェット停止および扉のインターロックＯＦＦ、およびＳ５０７のエアシャワー退室は、図３と同様である。Ｓ５０３〜Ｓ５０５の各センサの作動において、制御装置２０の指示に基づいて、各センサを作動させる順番を使用者の入室毎にその都度変更する。
【００３１】
本実施例によれば、実施例１の作用効果に加えて、使用者の入室毎にその都度センサを作動させる順番が変化し、使用者の向きや手の上げ下げの指示が変化するので、エアシャワー動作がマンネリ化することがなく、エアジェットによる除塵を効果的に行うことができる。
【符号の説明】
【００３２】
１  エアシャワー
３  エアシャワー室
５  エアジェット吹出口
１１  センサ１
１２  センサ２
１３  センサ３
１４  センサ４
１５  センサ５
１６  センサ６
１８  クリーン側ドアスイッチ
１９  ダーティ側ドアスイッチ
２０  制御装置
２１  誘導灯１
２２  誘導灯２
２３  誘導灯３
２４  誘導灯４
２５  誘導灯５
２６  誘導灯６
２８  ファンモータ出力
２９  ドアインターロック出力
【図１】
2020139636.tif 000003
【図２】
2020139636.tif 000004
【図３】
2020139636.tif 000005
【図４】
2020139636.tif 000006
【図５】
2020139636.tif 000007